(57)【要約】【課題】従来の欠点を改善して使い勝手の良い飲み忘れ防止具を提供する。【解決手段】略直方体形状に形成されると共に内部を複数の仕切り壁によって区画して複数の個室が形成され、かつ、各個室に独立して開閉自在な蓋体５を有し、個室の各々に１回服用分の薬剤Ｍを分配して収納可能とした透明な収納容器２を備え、７つの曜日を配設した曜日表示部７を有する支持盤１に、７つの収納容器２を着脱自在として並設し、各曜日の時間帯毎に薬剤Ｍの服用を確認するように構成している。【選択図】図１
2013220240.tif 000002
【特許請求の範囲】
【請求項１】
略直方体形状に形成されると共に内部を複数の仕切り壁（３）によって区画して複数の個室（４）が形成され、かつ、各該個室（４）に独立して開閉自在な蓋体（５）を有し、上記個室（４）の各々に１回服用分の薬剤（Ｍ）を分配して収納可能とした透明な収納容器（２）を備え、
７つの曜日を配設した曜日表示部（７）を有する支持盤（１）に、７つの上記収納容器（２）を着脱自在として並設し、各曜日の時間帯毎に上記薬剤（Ｍ）の服用を確認するように構成したことを特徴とする飲み忘れ防止具。
【請求項２】
上記支持盤（１）には、内面一部に鋼板（１０）を有する凹窪部（９）が形成され、上記収納容器（２）は、長手方向一端面（２Ａ）又は裏面（２Ｂ）にマグネット（８）を付設し、上記凹窪部（９）に収納されると共に上記鋼板（１０）に上記マグネット（８）を吸着させて取付けられている請求項１記載の飲み忘れ防止具。
【請求項３】
上記収納容器（２）は、３つ又は４つの上記個室（４）を有し、各該個室（４）に対応する上記蓋体（５）の表て面（５Ａ）に、あさ、ひる、ばん、ねるまえの文字を表示する時間帯表示部（６）を有する請求項１又は２記載の飲み忘れ防止具。
【請求項４】
上記収納容器（２）は、３つ又は４つの上記個室（４）を有し、各該個室（４）内部又は上記蓋体（５）の一部に夫々異なる色彩を付した請求項１，２又は３記載の飲み忘れ防止具。
【発明の詳細な説明】
【技術分野】
【０００１】
本発明は、飲み忘れ防止具に関する。
【背景技術】
【０００２】
従来、薬やサプリメントを１日に複数回にわたって服用する必要がある者のために、薬等を飲み忘れるのを防止し、かつ、時間帯毎に服用する薬の１回分の定量を分配して整理しておくための飲み忘れ防止具が提案されている（特許文献１参照）。
【先行技術文献】
【特許文献】
【０００３】
【特許文献１】特開２０１１−２４５２５４号公報
【発明の概要】
【発明が解決しようとする課題】
【０００４】
しかし、従来の飲み忘れ防止具は、１回服用分の薬剤を収納するための容器が、朝・昼・夕と分離してバラバラに設けられていたので、服用者が高齢者や感覚の衰えた身体弱者である場合には、時間帯の前後関係が分断されて薬等の服用の確認が困難となり、飲み忘れるという欠点があった。また、容器が落下しやすく、しかも、この容器には、蓋がないため、落下すると内部に収納した薬剤が飛び散ってしまう虞れがあった。
【０００５】
そこで、本発明は、上記欠点を改善して使い勝手の良い飲み忘れ防止具を提供することを目的とする。
【課題を解決するための手段】
【０００６】
本発明に係る飲み忘れ防止具は、略直方体形状に形成されると共に内部を複数の仕切り壁によって区画して複数の個室が形成され、かつ、各該個室に独立して開閉自在な蓋体を有し、上記個室の各々に１回服用分の薬剤を分配して収納可能とした透明な収納容器を備え、７つの曜日を配設した曜日表示部を有する支持盤に、７つの上記収納容器を着脱自在として並設し、各曜日の時間帯毎に上記薬剤の服用を確認するように構成したものである。
【０００７】
また、上記支持盤には、内面一部に鋼板を有する凹窪部が形成され、上記収納容器は、長手方向一端面又は裏面にマグネットを付設し、上記凹窪部に収納されると共に上記鋼板に上記マグネットを吸着させて取付けられているものである。
また、上記収納容器は、３つ又は４つの上記個室を有し、各該個室に対応する上記蓋体の表て面に、あさ、ひる、ばん、ねるまえの文字を表示する時間帯表示部を有するものである。
上記収納容器は、３つ又は４つの上記個室を有し、各該個室内部又は上記蓋体の一部に夫々異なる色彩を付したものである。
【発明の効果】
【０００８】
本発明の飲み忘れ防止具によれば、１つの収納容器内の複数の個室の各々に、１日分の薬剤を複数の時間帯に分けて収納することができ、飲み忘れを確実に防ぐことができる。収納容器が連結一体状であって、かつ、一の個室の蓋体だけを開けて、１回服用分の薬剤を容易に取り出すことができる。さらに、薬やサプリメントを衛生的に管理できる。
【図面の簡単な説明】
【０００９】
【図１】本発明の実施の一形態を示した正面図である。
【図２】飲み忘れ防止具の一例を示した卓上載置使用状態の拡大断面図である。
【図３】飲み忘れ防止具の他の例を示した卓上載置使用状態の拡大断面図である。
【図４】収納容器を示した拡大正面図であり、（Ａ）は４つの個室を有する収納容器の拡大正面図であり、（Ｂ）は３つの個室を有する収納容器の拡大正面図である。
【発明を実施するための形態】
【００１０】
以下、実施の形態を示す図面に基づき本発明を詳説する。
図１と図２に示すように、本発明の飲み忘れ防止具は、略直方体形状に形成されると共に内部を複数の仕切り壁３によって区画して複数の個室４が形成され、かつ、各個室４に独立して開閉自在な蓋体５を有し、個室４の各々に１回服用分の薬剤Ｍを分配して収納可能とした透明な収納容器２を備えている。
収納容器２は、透明又は半透明の合成樹脂から成り、全体が縦長の長方形状である。収納容器２は、複数の（直方体状）個室４を上下方向に連結一体状として有している。蓋体５は、一端にヒンジ部を有し、収納容器２に夫々が独立して揺動自在に設けられて、かつ、他端には、係止片１３が形成されている。
なお、本発明に於て、「薬剤」とは、錠剤、顆粒剤、粉剤、カプセル等の薬、及び、サプリメントを包含するものとする。
【００１１】
本発明の飲み忘れ防止具は、７つの曜日を配設した曜日表示部７を有する支持盤１に、７つの収納容器２を着脱自在として並設し、各曜日の時間帯毎に薬剤Ｍの服用を確認するように構成している。
支持盤１は、殆どが合成樹脂から成り、曜日表示部７に１週間分の（７つの）曜日を横並びに配列表示している。支持盤１の上部には、起立片１４が突設され、この起立片１４には、吊り下げ紐による壁掛けをする場合に使用する紐通し孔１４ａ，１４ａが設けられている。支持盤１の下部には、図２に示す卓上載置使用状態で脚部１２，１２を有している。卓上載置使用状態では、支持盤１には、裏面側から支持脚部材１１が差込まれて、支持盤１が後方に傾けられた状態で支持されるように構成されている。なお、支持脚部材１１は、壁掛けをする場合や非使用時には、支持盤１の裏面に当接させて収納するのが好ましい。
【００１２】
支持盤１には、内面一部に鋼板１０を有する凹窪部９が形成されている。
支持盤１は、凹窪部９に７つの収納容器２を、曜日表示部７の表示に対応させて（横並びの）並列状に配置できるように構成されている。凹窪部９の底面には、複数の仕切り片１５が形成され、７つの収納容器２を仕切り片１５，１５間に嵌め込んで位置決めしている。支持盤１は、凹窪部９の上方に、左右方向の梁部１６が形成され、梁部１６の前面に曜日表示部７を表示している。梁部１６は、その裏側を開口状として断面略コ字状に形成され、支持脚部材１１を差込むための差込孔１６Ａを有している。
【００１３】
図２と図３に示すように、収納容器２は、長手方向一端面２Ａ又は裏面２Ｂにマグネット８を付設し、凹窪部９に収納されると共に鋼板１０にマグネット８を吸着させて取付けられている。
図２では、収納容器２は、長手方向の上端面２Ａにマグネット８を付設している。支持盤１は、凹窪部９の内面上端面（梁部１６の下面）に鋼板１０を有し、凹窪部９に収納される収納容器２のマグネット８を鋼板１０に吸着させて保持している。
図３では、収納容器２は、裏面２Ｂにマグネット８を付設している。支持盤１は、凹窪部９の底面に鋼板１０を有し、凹窪部９に収納される収納容器２のマグネット８を鋼板１０に吸着させて保持している。
収納容器２は、下部に舌片小突起２０を有し、舌片小突起２０を前方に引くと、マグネット８を鋼板１０から引き離して、収納容器２を凹窪部９から容易に取り外せるように構成されている。
【００１４】
収納容器２は、３つ又は４つの個室４を有し、各個室４に対応する蓋体５の表て面５Ａに、あさ、ひる、ばん、ねるまえの文字を表示する時間帯表示部６を有している。
図４に示すように、時間帯表示部６は、個室４が４つある場合（図４（Ａ）参照）には、蓋体５の表て面５Ａにあさ、ひる、ばん、ねるまえと表示され、また、個室４が３つである場合（図４（Ｂ）参照）には、朝、昼、夜と表示されていても良い。時間帯表示部６は、夫々の時間帯に服用すべき薬剤Ｍが、個室４に収納されていることを服用者が確認するために設けられている。
【００１５】
また、収納容器２は、各個室４内部又は蓋体５の一部に夫々異なる色彩を付している。
図１と図４（Ａ）では、蓋体５の表て面５Ａに、互いに色の異なるシールＣを貼り付けて、あさ、ひる、ばん、ねるまえの時間帯が一目で確認できるようになっている。また、図４（Ｂ）に示すように、色の異なるインクをもって時間帯表示部６を蓋体５の表て面５Ａに印刷して、朝、昼、夜の時間帯が一目で確認できるようにするも望ましい。
【００１６】
上述した本発明の飲み忘れ防止具の使用方法（作用）について説明する。
図１と図２に示すように、透明な収納容器２の個室４内に１回服用分の薬剤Ｍを分配して収納し、曜日表示部７の表示に対応して凹窪部９に収納容器２を７列に並べて収納し、支持盤１の裏面に支持脚部材１１を取付けて、卓上に載置する。収納容器２から薬剤Ｍを取り出す際は、支持盤１から当日分の収納容器２を取外し、時間帯に応じて個室４の蓋体５を開いて１回服用分の薬剤Ｍだけを取り出す。高齢者や感覚の衰えた服用者にとっても、薬剤Ｍの服用の確認が容易であるため、薬やサプリメントを飲み忘れることが減り、医師や薬剤師の指示どおり適正に薬剤Ｍを服用することができる。また、服用者の家族や看護士、介護人が、服用者が正しい時間帯に薬剤Ｍを服用したか容易に判別でき、管理が容易であるというメリットもある。
【００１７】
収納容器２は、支持盤１から取外して、複数の内１つの個室４の蓋体５だけを開けて引っ繰り返せば、容易に１回服用分の薬剤Ｍだけを取り出せる。この際、他の個室４に収納された薬剤Ｍが飛び出てくることもなく、安全で、しかも、蓋体５によって密閉されているので衛生的に保管することができる。服用者は、収納容器２に付された時間帯表示部６や色違いのシールＣによって、薬剤Ｍを服用すべき時間帯を一目で確認することが可能となる。
【００１８】
なお、本発明は、設計変更可能であって、例えば、支持盤１の曜日表示部７、及び、収納容器２に設けた時間帯表示部６の構成は、上述の実施形態に何ら限定されるものではない。また、支持脚部材１１が省略されていても良く、支持盤１は、壁に掛けて支持されていても良い。
【００１９】
以上のように、本発明に係る飲み忘れ防止具は、略直方体形状に形成されると共に内部を複数の仕切り壁３によって区画して複数の個室４が形成され、かつ、各個室４に独立して開閉自在な蓋体５を有し、個室４の各々に１回服用分の薬剤Ｍを分配して収納可能とした透明な収納容器２を備え、７つの曜日を配設した曜日表示部７を有する支持盤１に、７つの収納容器２を着脱自在として並設し、各曜日の時間帯毎に薬剤Ｍの服用を確認するように構成したので、１つの収納容器２内の複数の個室４の各々に、１日分の薬剤Ｍを複数の時間帯に分けて収納することができ、飲み忘れを確実に防ぐことができる。収納容器２が連結一体状であって、かつ、一の個室４の蓋体５だけを開けて、１回服用分の薬剤Ｍを容易に取り出すことができる。異なる時間帯に飲むべき薬剤Ｍが混り合ってしまうことも防止できて至便である。さらに、薬やサプリメント等の薬剤Ｍを衛生的に管理できる。
【００２０】
また、支持盤１には、内面一部に鋼板１０を有する凹窪部９が形成され、収納容器２は、長手方向一端面２Ａ又は裏面２Ｂにマグネット８を付設し、凹窪部９に収納されると共に鋼板１０にマグネット８を吸着させて取付けられているので、収納容器２を支持盤１から容易に取り外すことができ、落下の危険性も低減でき、異なる時間帯に飲むべき薬剤Ｍが混ざることを防止できる。
【００２１】
また、収納容器２は、３つ又は４つの個室４を有し、各個室４に対応する蓋体５の表て面５Ａに、あさ、ひる、ばん、ねるまえの文字を表示する時間帯表示部６を有するので、服用者が薬剤Ｍを服用すべき時間帯を一目で確認することができる。
【００２２】
また、収納容器２は、３つ又は４つの個室４を有し、各個室４内部又は蓋体５の一部に夫々異なる色彩を付したので、服用者が薬剤Ｍを服用すべき時間帯を一目で瞬時に確認することができる。
【符号の説明】
【００２３】
１  支持盤
２  収納容器
２Ａ  一端面
２Ｂ  裏面
３  仕切り壁
４  個室
５  蓋体
５Ａ  表て面
６  時間帯表示部
７  曜日表示部
８  マグネット
９  凹窪部
１０  鋼板
Ｍ  薬剤
【図１】
2013220240.tif 000003
【図２】
2013220240.tif 000004
【図３】
2013220240.tif 000005
【図４】
2013220240.tif 000006